(57)【要約】【課題】画像処理の処理状況と対象とを容易に識別することができる画像処理システム、ジョブ管理装置、およびジョブ管理プログラムを提供することを目的とする。【解決手段】クライアント装置からジョブチケットを取得して、原稿画像にジョブチケットに従って画像処理を施すサーバ装置において、画像処理が所定の処理手順を経たときに、原稿画像よりも低解像度であり、原稿画像と同等な画像を表現したサムネイル画像をクライアント装置に提供する。クライアント装置では、サーバ装置から提供されたサムネイル画像を表示することによって、画像処理の処理状況と対象とを容易に確認することができる。【選択図】        図１２
2005196532.tif 000002
【特許請求の範囲】
【請求項１】
画像処理を実行するための１つ以上の処理手順が記述されたジョブチケットを提供するクライアント装置と、該クライアント装置から提供されたジョブチケットに従って画像に画像処理を施すサーバ装置とを備えた画像処理システムにおいて、
前記サーバ装置が、
前記ジョブチケットを取得するジョブチケット取得部と、
原稿画像を取得する画像取得部と、
前記原稿画像の解像度よりも低い解像度で、該原稿画像と同等な画像を表現したサムネイル画像を生成するサムネイル画像生成部と、
前記原稿画像に、前記ジョブチケットに従って画像処理を施す画像処理部と、
前記画像処理部における画像処理が所定の処理手順を経たときに、前記サムネイル画像を前記クライアント装置に提供するサムネイル画像提供部とを備えたものであることと、
前記クライアント装置が、
前記ジョブチケットを前記サーバ装置に提供するジョブチケット提供部と、
前記サーバ装置から提供されるサムネイル画像を取得するサムネイル画像取得部と、
前記サムネイル画像を表示する画像表示部とを備えたものであることとを特徴とする画像処理システム。
【請求項２】
前記クライアント装置が、前記ジョブチケットを作成するジョブチケット作成部を備えたものであることと、
前記クライアント装置のジョブチケット提供部が、前記ジョブチケット作成部によって作成されたジョブチケットを提供するものであることとを特徴とする請求項１記載の画像処理システム。
【請求項３】
前記サーバ装置のサムネイル画像生成部が、前記ジョブチケットに記述された処理手順に応じたサムネイル画像を生成するものであることと、
前記サーバ装置のサムネイル画像提供部が、前記画像処理部における画像処理が所定の処理手順を経たときに、該処理手順に応じたサムネイル画像を提供するものであることとを特徴とする請求項１記載の画像処理システム。
【請求項４】
前記サーバ装置が、前記サムネイル画像生成部で生成されたサムネイル画像を保存するサムネイル画像保存部を備えたものであることと、
前記サーバ装置のサムネイル画像提供部が、前記サムネイル画像保存部においてサムネイル画像が保存されているアドレスを前記クライアント装置に伝えることによって該サムネイルを実質的に提供するものであることと、
前記クライアント装置のサムネイル画像取得部が、前記サーバ装置から伝えられたアドレスに従って該サーバ装置のサムネイル画像保存部からサムネイル画像を取得するものであることとを特徴とする請求項１記載の画像処理システム。
【請求項５】
画像処理を実行するための１つ以上の処理手順が記述されたジョブチケットを取得するジョブチケット取得部と、
原稿画像を取得する画像取得部と、
前記原稿画像の解像度よりも低い解像度で、該原稿画像と同等な画像を表現したサムネイル画像を生成するサムネイル画像生成部と、
前記原稿画像に、前記ジョブチケットに従って画像処理を施す画像処理部と、
前記画像処理部における画像処理が所定の処理手順を経たときに、前記サムネイル画像をクライアント装置に提供するサムネイル画像提供部とを備えたことを特徴とするジョブ管理装置。
【請求項６】
コンピュータ内で実行され、該コンピュータを、
画像処理を実行するための１つ以上の処理手順が記述されたジョブチケットを取得するジョブチケット取得部と、
原稿画像を取得する画像取得部と、
前記原稿画像の解像度よりも低い解像度で、該原稿画像と同等な画像を表現したサムネイル画像を生成するサムネイル画像生成部と、
前記原稿画像に、前記ジョブチケットに従って画像処理を施す画像処理部と、
前記画像処理部における画像処理が所定の処理手順を経たときに、前記サムネイル画像をクライアント装置に提供するサムネイル画像提供部とを備えたジョブ管理装置として動作させることを特徴とするジョブ管理プログラム。
【発明の詳細な説明】
【技術分野】
【０００１】
本発明は、画像処理の処理手順が記述されたジョブチケットを提供するクライアント装置と、クライアント装置から提供されたジョブチケットに従った処理手順で画像処理を行うサーバ装置とで構成される画像処理システム、ジョブチケットに従った処理手順で画像処理を行うジョブ管理装置、およびジョブ管理プログラムに関する。
【背景技術】
【０００２】
処理の実行を指示するクライアント装置と、クライアント装置からの指示を受けて処理を実行するサーバ装置とがネットワークなどで接続されたサーバ・アンド・クライアントシステムは、印刷の分野においても広く用いられている。このサーバ・アンド・クライアントシステムを適用すると、例えば、１台のプリンタサーバ装置に複数のクライアント装置を接続して、プリンタを複数のクライアント装置で共有するなどというように、複数の装置間で資源を共有することができる。また、例えば、階調補正などといった負荷の大きい画像処理等をサーバ装置で集中的に実行させることによって、クライアント装置での処理を軽減させることができるという利点もある。
【０００３】
ところで、近年では、処理の工程間で処理条件などを伝えるジョブチケットを適用したサーバ・アンド・クライアントシステムが広く用いられている（例えば、特許文献１参照）。オペレータが、クライアント装置を使って、画像処理に用いるパラメータや入出力ファイル名などといった処理条件や、画像処理における処理手順などを記述したジョブチケットを編集すると、クライアント装置からサーバ装置に編集後のジョブチケットが提供される。サーバ装置では、ジョブチケットに記述された処理条件に従って、ジョブチケットに記述された処理手順で画像処理が行われる。このように、ジョブチケットを適用することによって、処理の実行だけでなく、処理条件や処理手順なども容易に指定することができる。
【特許文献１】特開２００２−３６６３２１号公報
【発明の開示】
【発明が解決しようとする課題】
【０００４】
ここで、例えば、デジタルカメラで撮影された撮影画像をプリント出力する場合などのように、複数の画像に画像処理を施すことがしばしば行われる。オペレータが、クライアント装置を使ってジョブチケットを編集すると、そのジョブチケットはサーバ装置に提供され、サーバ装置はジョブチケットに従った画像処理を複数の撮影画像に順次に施していく。このとき、オペレータがクライアント装置を使ってサーバ装置に画像処理の進行状況を問い合わせると、クライアント装置の表示画面上には、「処理中」や「完了」などといった処理状況の表記とともに撮影画像のファイル名が表示されることが一般的である。しかし、表示画面上に表示されたファイル名を見ても、実際にはどの撮影画像に対する画像処理であるのかを確認することが困難であるという問題がある。
【０００５】
本発明は、上記事情に鑑み、画像処理の処理状況と対象とを容易に識別することができる画像処理システム、ジョブ管理装置、およびジョブ管理プログラムを提供することを目的とする。
【課題を解決するための手段】
【０００６】
上記目的を達成する本発明の画像処理システムは、画像処理を実行するための１つ以上の処理手順が記述されたジョブチケットを提供するクライアント装置と、クライアント装置から提供されたジョブチケットに従って画像に画像処理を施すサーバ装置とを備えた画像処理システムにおいて、
上記サーバ装置が、
ジョブチケットを取得するジョブチケット取得部と、
原稿画像を取得する画像取得部と、
原稿画像の解像度よりも低い解像度で、原稿画像と同等な画像を表現したサムネイル画像を生成するサムネイル画像生成部と、
原稿画像に、ジョブチケットに従って画像処理を施す画像処理部と、
画像処理部における画像処理が所定の処理手順を経たときに、サムネイル画像をクライアント装置に提供するサムネイル画像提供部とを備えたものであることと、
上記クライアント装置が、
ジョブチケットをサーバ装置に提供するジョブチケット提供部と、
サーバ装置から提供されるサムネイル画像を取得するサムネイル画像取得部と、
サムネイル画像を表示する画像表示部とを備えたものであることとを特徴とする。
【０００７】
本発明の画像処理システムによると、サーバ装置で行われる画像処理が所定の処理手順を経たときに、原稿画像と同等な画像を表現した低解像度なサムネイル画像がクライアント装置に提供され、クライアント装置では提供されたサムネイル画像が表示される。クライアント装置を操作するオペレータは、このサムネイル画像を確認することによって、処理対象の原稿画像と、画像処理が所定の処理手順を経たという状況とを一目で容易に認識することができる。
【０００８】
また、本発明の画像処理システムにおいて、
上記クライアント装置が、ジョブチケットを作成するジョブチケット作成部を備えたものであることと、
クライアント装置のジョブチケット提供部が、ジョブチケット作成部によって作成されたジョブチケットを提供するものであることとが好ましい。
【０００９】
ジョブチケット作成部を備えることによって、オペレータは、サーバ装置において所望の処理手順で画像処理を行うためのジョブチケットを作成することができる。
【００１０】
また、本発明の画像処理システムにおいて、
上記サーバ装置のサムネイル画像生成部が、ジョブチケットに記述された処理手順に応じたサムネイル画像を生成するものであることと、
サーバ装置のサムネイル画像提供部が、画像処理部における画像処理が所定の処理手順を経たときに、その処理手順に応じたサムネイル画像を提供するものであることとが好適である。
【００１１】
この好適な画像処理システムによると、画像処理部における画像処理が所定の処理手順を経たときに、その処理手順に応じたサムネイル画像がクライアント装置に提供される。例えば、複数の処理手順を経る画像処理の場合などには、それら複数の処理手順それぞれに応じたサムネイル画像が生成されるため、クライアント装置に表示されたサムネイル画像を確認することによって、どの原稿画像がどの処理手順まで達したのかを容易に確認することができる。
【００１２】
また、本発明の画像処理システムにおいて、
上記サーバ装置が、サムネイル画像生成部で生成されたサムネイル画像を保存するサムネイル画像保存部を備えたものであることと、
サーバ装置のサムネイル画像提供部が、サムネイル画像保存部においてサムネイル画像が保存されているアドレスをクライアント装置に伝えることによってサムネイルを実質的に提供するものであることと、
上記クライアント装置のサムネイル画像取得部が、サーバ装置から伝えられたアドレスに従ってサーバ装置のサムネイル画像保存部からサムネイル画像を取得するものであることとが好ましい。
【００１３】
サムネイル画像を直接クライアント装置に提供するのではなく、サムネイル画像が保存された保存場所のアドレスをクライアント装置に提供することによって、通信にかかる時間を短縮することができる。
【００１４】
また、上記目的を達成する本発明のジョブ管理装置は、
画像処理を実行するための１つ以上の処理手順が記述されたジョブチケットを取得するジョブチケット取得部と、
原稿画像を取得する画像取得部と、
原稿画像の解像度よりも低い解像度で、原稿画像と同等な画像を表現したサムネイル画像を生成するサムネイル画像生成部と、
原稿画像に、前記ジョブチケットに従って画像処理を施す画像処理部と、
画像処理部における画像処理が所定の処理手順を経たときに、サムネイル画像をクライアント装置に提供するサムネイル画像提供部とを備えたことを特徴とする。
【００１５】
本発明のジョブ管理装置を適用することによって、どの原稿画像がどの処理手順まで達したのかを、クライアント装置側で容易に確認することができる。
【００１６】
また、上記目的を達成する本発明のジョブ管理装置は、
コンピュータ内で実行され、そのコンピュータを、
画像処理を実行するための１つ以上の処理手順が記述されたジョブチケットを取得するジョブチケット取得部と、
原稿画像を取得する画像取得部と、
原稿画像の解像度よりも低い解像度で、原稿画像と同等な画像を表現したサムネイル画像を生成するサムネイル画像生成部と、
原稿画像に、ジョブチケットに従って画像処理を施す画像処理部と、
画像処理部における画像処理が所定の処理手順を経たときに、サムネイル画像をクライアント装置に提供するサムネイル画像提供部とを備えたジョブ管理装置として動作させることを特徴とする。
【００１７】
なお、本発明にいうジョブ管理装置およびジョブ管理プログラムについては、ここではその基本形態のみを示すのにとどめるが、これは単に重複を避けるためであり、本発明にいうジョブ管理装置およびジョブ管理プログラムには、上記の基本形態のみではなく、前述した画像処理システムの各形態に対応する各種の形態が含まれる。
【００１８】
また、上記本発明のジョブ管理装置および画像処理システムと、上記ジョブ管理プログラムとでは、それらを構成する構成要素名として、ジョブチケット取得部や画像取得部といった互いに同一の名称を付しているが、ジョブ管理プログラムの場合は、そのような作用をなすソフトウェアを指し、ジョブ管理装置および画像処理システムの場合は、ハードウェアを含んだものを指している。
【００１９】
さらに、本発明のジョブ管理プログラムを構成する画像取得部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【発明の効果】
【００２０】
本発明によれば、画像処理の処理状況と対象とを容易に識別することができる画像処理システム、ジョブ管理装置、およびジョブ管理プログラムを提供することを目的とする。
【発明を実施するための最良の形態】
【００２１】
以下図面を参照して本発明の実施の形態を説明する。
【００２２】
図１は、本発明の一実施形態が適用された画像処理システム１０を示す図である。
【００２３】
この図１には、データベース（以下、ＤＢと省略する）１０１が備えられたサーバ装置１００を構成するコンピュータと、クライアント装置２０１，２０２，２０３を構成するコンピュータとが示されている。
【００２４】
クライアント装置２０１，２０２，２０３では、オペレータによって、画像処理に用いるパラメータなどといった画像処理条件および処理手順などが記述されたジョブチケットが編集される。編集されたジョブチケットはサーバ装置１００に提供される。このクライアント装置２０１，２０２，２０３は、本発明にいうクライアント装置の一例に相当する。以下では、これらクライアント装置２０１，２０２，２０３をまとめてクライアント装置２００と称する。
【００２５】
サーバ装置１００では、上記クライアント装置２００から提供されたジョブチケットがＤＢ１０１に登録されて、その提供されたジョブチケットに従って画像処理が行われる。このサーバ装置１００は、本発明のジョブ管理装置の一実施形態に相当するとともに、本発明にいうサーバ装置の一例にあたる。
【００２６】
ここで、本来、コンピュータにおいては、画像は画像データとして扱われ、その画像データはファイルに格納されて保存されるものであるが、本明細書においては、画像データを単に画像と称し、その画像がファイルに格納されていると表現する。
【００２７】
図１に示す画像処理システム１０における、本発明の一実施形態としての特徴は、サーバ装置１００、およびクライアント装置２００を構成するコンピュータにおける動作内容にある。尚、サーバ装置１００を構成するコンピュータ、およびクライアント装置２００を構成するコンピュータは、それらの動作内容は異なるが、ハードウェア上の構成はほぼ同じであるため、以下、これらのコンピュータを代表して、サーバ装置１００を構成するコンピュータについて説明する。
【００２８】
サーバ装置１００を構成するコンピュータは、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコン等に応じた指示を入力するマウス１４０を備えている。この本体装置１１０は、外観上、フレキシブルディスク（以下、ＦＤと省略する）を装填するためのＦＤ装填口１１１、およびＣＤ−ＲＯＭを装填するためのＣＤ−ＲＯＭ装填口１１２を有する。
【００２９】
図２は、図１に示すコンピュータのハードウェア構成図である。
【００３０】
本体装置１１０の内部には、図２に示すように、各種プログラムを実行するＣＰＵ１１３、ハードディスク装置１１５に格納されたプログラムが読み出されＣＰＵ１１３での実行のために展開される主メモリ１１４、各種プログラムやデータ等が保存されたハードディスク装置１１５、ＦＤ３１０をアクセスするＦＤドライブ１１６、ＣＤ−ＲＯＭ３２０が装填され、その装填されたＣＤ−ＲＯＭ３２０をアクセスするＣＤ−ＲＯＭドライブ１１７、外部装置から画像を入力する入力インタフェース１１８、画像を外部装置に出力する出力インタフェース１１９が内蔵されており、これらの各種要素と、さらに図１にも示す画像表示装置１２０、キーボード１３０、マウス１４０は、バス１５０を介して相互に接続されている。また、サーバ装置１００を構成するコンピュータの場合には、ハードディスク装置１１５がＤＢ１０１の役割を担う。
【００３１】
ＣＤ−ＲＯＭ３２０には、本発明のジョブ管理プログラムの一実施形態が適用されたサーバ用プログラムが記憶されている。そのＣＤ−ＲＯＭ３２０はＣＤ−ＲＯＭドライブ１１７に装填され、そのＣＤ−ＲＯＭ３２０に記憶されたサーバ用プログラムがこのコンピュータにアップロードされてハードディスク装置１１５に記憶される。そして、このサーバ用プログラムが起動されて実行されることにより、サーバ装置１００は、本発明のジョブ管理装置の一実施形態、および本発明にいうサーバ装置の一例として動作する。
【００３２】
また、クライアント装置２００を構成するコンピュータには、ＣＤ−ＲＯＭ３２０の替わりにクライアント用プログラムが記憶されたＣＤ−ＲＯＭ３３０が装填される。このＣＤ−ＲＯＭ３３０に記憶されたクライアント用プログラムが実行されることによって、クライアント装置２００は本発明にいうクライアント装置の一例として動作する。
【００３３】
ここで、上記では、サーバ用プログラムやクライアント用プログラムを記憶する記憶媒体としてＣＤ−ＲＯＭ３２０，３３０が例示されているが、本発明のジョブ管理プログラムを記憶する記憶媒体はＣＤ−ＲＯＭに限られるものではなく、それ以外の光ディスク、ＭＯ、フレキシブルディスク（ＦＤ）、磁気テープなどの記憶媒体であってもよい。また、本発明のデータ変換プログラムは、記憶媒体を介さずに、入力インタフェース１１８を介して直接にコンピュータに供給されるものであってもよい。
【００３４】
次に、サーバ用プログラムとクライアント用プログラムについて説明する。
【００３５】
図３は、サーバ用プログラムが記憶されたＣＤ−ＲＯＭ３２０、およびクライアント用プログラムが記憶されたＣＤ−ＲＯＭ３３０を示す概念図である。
【００３６】
図３のパート（Ａ）に示すように、ＣＤ−ＲＯＭ３２０に記憶されたサーバ用プログラム４１０は、ジョブチケット取得部４１１、画像取得部４１２、サムネイル画像生成部４１３、処理実行部４１４、サムネイル画像提供部４１５、およびサムネイル画像保存部４１６とで構成されている。ここで、ジョブチケット取得部４１１は本発明のジョブ管理プログラムにおけるジョブチケット取得部の一例に相当し、同様に、画像取得部４１２は画像取得部の一例に相当し、サムネイル画像生成部４１３はサムネイル画像生成部の一例に相当し、処理実行部４１４は画像処理部の一例に相当し、サムネイル画像提供部４１５はサムネイル画像提供部の一例に相当し、サムネイル画像保存部４１６はサムネイル画像保存部の一例に相当する。
【００３７】
また、図３のパート（Ｂ）に示すように、ＣＤ−ＲＯＭ３３０に記憶されたクライアント用プログラム４２０は、ジョブチケット作成・提供部４２１と、サムネイル画像取得部４２２と、サムネイル画像表示部４２３とで構成されている。
【００３８】
サーバ用プログラム４１０、およびクライアント用プログラム４２０の各部の詳細については、サーバ装置１００、およびクライアント装置２００の各部の作用と一緒に説明する。
【００３９】
図４は、サーバ用プログラム４１０を図１のサーバ装置１００を構成するコンピュータにインストールして、サーバ装置１００を本発明のジョブ管理装置の一実施形態、および本発明にいうサーバ装置の一例として動作させ、クライアント用プログラム４２０をクライアント装置２００を構成するコンピュータにインストールして、クライアント装置２００を本発明にいうクライアント装置の一例として動作させるときの、画像処理システム１０の機能ブロック図である。
【００４０】
サーバ装置１００は、図１にも示すＤＢ１０１と、画像取得部１６０と、保存部１７０と、画像処理部１８０とを有しており、画像処理部１８０は、さらに、処理実行部１８１と、サムネイル画像生成部１８２とを有している。
【００４１】
また、クライアント装置２００は、ジョブチケット作成・提供部２５１と、サムネイル画像取得部２５２と、サムネイル画像表示部２５３とを有している。
【００４２】
サーバ装置１００を構成する、画像取得部１６０、保存部１７０、処理実行部１８１、サムネイル画像生成部１８２は、図３のパート（Ａ）に示すサーバ用プログラム４１０を構成する、画像取得部４１２、サムネイル画像保存部４１６、処理実行部４１４、サムネイル画像生成部４１３にそれぞれ対応し、ＤＢ１０１は、図３に示すジョブチケット取得部４１１とサムネイル画像提供部４１５によってその役割を担う。また、クライアント装置２００を構成する、ジョブチケット作成・提供部２５１、サムネイル画像取得部２５２、サムネイル画像表示部２５３は、図３のパート（Ｂ）に示すクライアント用プログラム４２０を構成する、ジョブチケット作成・提供部４２１、サムネイル画像取得部４２２、サムネイル画像表示部４２３にそれぞれ対応する。
【００４３】
図４の各要素は、コンピュータのハードウェアとそのコンピュータで実行されるＯＳやアプリケーションプログラムとの組合せで構成されているのに対し、図３に示すサーバ用プログラム４１０、およびクライアント用プログラム４２０の各要素はそれらのうちのアプリケーションプログラムのみにより構成されている点が異なる。
【００４４】
図４に示すサーバ装置１００を構成する画像取得部１６０は、クライアント装置２００などから原稿画像を取得し、取得した原稿画像を保存部１７０に送る。この画像取得部１６０は、本発明にいう画像取得部の一例に相当する。
【００４５】
保存部１７０には、原稿画像が格納されることによって画像処理が開始される入力用フォルダ１７１、サムネイル画像が保存されるサムネイル用フォルダ１７２、画像処理後の画像が保存される出力用フォルダ１７３、およびその他の画像が保存される多種画像用フォルダ１７４が備えられており、保存部１７０は、画像取得部１６０や画像処理部１８０などから送られてきた原稿画像やサムネイル画像（後述する）を、それら画像に応じたフォルダに保存する。この保存部１７０は、本発明にいうサムネイル画像保存部の一例に相当する。
【００４６】
画像処理部１８０の処理実行部１８１は、原稿画像にクライアント装置から提供されたジョブチケットに従って画像処理を施す。この処理実行部１８１は、本発明にいう画像処理部の一例にあたる。
【００４７】
画像処理部１８０のサムネイル画像生成部１８２は、処理実行部１８１における画像処理が所定の処理手順を経たときに、その画像処理が施された画像を縮小したサムネイル画像を生成する。このサムネイル画像生成部１８２は、本発明にいうサムネイル画像生成部の一例に相当する。
【００４８】
図１にも示すＤＢ１０１には、クライアント装置２００から提供されたジョブチケットや、サムネイル画像生成部１８０で生成されたサムネイル画像が保存されている保存部１７０のアドレスが登録される。ＤＢ１０１は、画像処理部１８０にジョブチケットを提供するとともに、クライアント装置２００にサムネイル画像が保存されているアドレスを提供する。このＤＢ１０１は、本発明にいうジョブチケット取得部の一例に相当するとともに、本発明にいうサムネイル画像提供部の一例にあたる。
【００４９】
また、クライアント装置２００を構成するジョブチケット作成・提供部２５１は、マウスやキーボードなどがその役割を担うものであり、オペレータの指示に応じてジョブチケットを作成する。ジョブチケットは、サーバ装置１００のＤＢ１０１に提供される。このジョブチケット作成・提供部２５１は、本発明にいうジョブチケット作成部の一例に相当するとともに、本発明にいうジョブチケット提供部の一例にあたる。
【００５０】
サムネイル画像取得部２５２は、ＤＢ１０１からサムネイル画像が保存されているアドレスを取得して、保存部１７０のアドレスが示す保存場所からサムネイル画像を取得する。このサムネイル画像取得部２５２は、本発明にいうサムネイル画像取得部の一例に相当する。
【００５１】
サムネイル画像表示部２５３は、サムネイル画像取得部２５２で取得されたサムネイル画像を表示する。このサムネイル画像表示部２５３は、本発明にいう画像表示部の一例に相当する。
【００５２】
画像処理システム１０は、基本的には以上のように構成されている。
【００５３】
続いて、画像処理システム１０におけるジョブチケットに従った画像処理を行う一連の処理について説明する。
【００５４】
クライアント装置２００には、オペレータがジョブチケットを編集するためのジョブチケット設定用画面が予め用意されている。
【００５５】
図５は、ジョブチケット設定用画面の一例を示す図である。
【００５６】
この例では、ジョブチケット設定用画面として、パート（Ａ）に示す入力用画面５１０と、パート（Ｂ）に示す色変換用画面５２０と、パート（Ｃ）に示す出力用画面５３０の３つの画面が用意されている。
【００５７】
入力用画面５１０は、原稿画像を入力する入力処理に関する条件を設定する画面であり、画像処理の開始トリガとなる保存部１７０の入力用フォルダ１７１のパスを指定する。パスリスト５１４に既に登録されたパスが表示され、表示されたパスをマウス等で選択すると入力用フォルダ１７１のパスが指定される。また、パスリスト５１４に登録するパスを新規に編集する際には、新規ボタン５１１を選択してから新たなパスを編集する。登録済みのパスを変更・削除する際には、パスリスト５１４に表示されたパスを選択してから、編集ボタン５１２や削除ボタン５１３を選択する。
【００５８】
色変換用画面５２０は、画像の色を見た目に好ましい色に変換する色変換処理に関する条件を設定する画面であり、ＲＧＢ変換処理に用いるプロファイルを指定するＲＧＢ選択部５２２、ＣＭＹＫ変換処理に用いるプロファイルを指定するＣＭＹＫ選択部５２３、シャープネス処理の実行／非実行を指定するシャープネス部５２４、およびトーンカーブ処理に用いるトーンカーブ曲線を指定するトーンカーブ部５２５を備えている。これらＲＧＢ変換処理、ＣＭＹＫ変換処理、シャープネス処理、およびトーンカーブ処理は、従来から広く行われている処理であり、本明細書では詳細な説明を省略する。また、色変換用画面５２０は、実行指定部５２１を備えており、この実行指定部５２１を選択／選択解除することによって色変換処理の実行／非実行が指定される。
【００５９】
出力用画面５３０は、画像を表わす画像データのフォーマットを変換するフォーマット変換処理に関する条件を設定する画面である。出力用画面５３０は、変換後のフォーマットを指定するフォーマット部５３１と、色変換処理、およびフォーマット変換処理が施された画像を保存する出力用フォルダ１７３のパスを指定する出力フォルダ指定部５３２とを備えている。
【００６０】
オペレータは、クライアント装置２００のマウス等を使い、図５のジョブチケット設定用画面５１０，５２０，５３０に従ってジョブチケットを編集する。
【００６１】
図６は、オペレータによって編集されたジョブチケットの一例を示す概念図である。
【００６２】
このジョブチケット５４０には、「入力処理」、「色変換処理」、「出力処理」という処理手順で画像処理が行われることと、それら各処理に用いられる入出力フォルダのパスやプロファイル名などといった処理条件が記述されている。
【００６３】
オペレータがジョブチケットを編集すると、図４に示すクライアント装置２００のジョブチケット作成・提供部２５１は、ジョブチケットをサーバ装置１００に提供する。サーバ装置１００のＤＢ１０１は、クライアント装置２００から提供されたジョブチケットを、登録ＩＤを付して保存する。このジョブチケットは、画像処理部１８０に送られる。
【００６４】
続いて、オペレータは、クライアント装置２００に予め用意された設定用画面（図示しない）を使って、画像処理を行う複数の原稿画像を指定する。指定された原稿画像はサーバ装置１００の画像取得部１６０に送られる。画像取得部１６０は送られてきた原稿画像を、ジョブチケットに記述された入力フォルダパスが示すフォルダ（入力用フォルダ１７１）に保存する。また、入力用フォルダ１７１に保存された複数の原稿画像それぞれに画像処理を施すジョブのジョブＩＤが付され、そのジョブＩＤと原稿画像のファイル名がＤＢ１０１に登録される。
【００６５】
入力用フォルダ１７１に原稿画像が保存されると、画像処理部１８０の処理実行部１８１ではジョブチケットに従った画像処理が開始される。以下では、この処理実行部１８１での画像処理について説明する。
【００６６】
図７は、処理実行部の機能ブロック図である。
【００６７】
処理実行部１８１は、ジョブチケットに記述された処理手順に従って画像処理を行う。例えば、図４に示すジョブチケット５４０を取得した場合、処理実行部１８１は、入力処理機能１８１＿１、色変換処理機能１８１＿２、および出力処理機能１８１＿２を用いて処理を行う。処理実行部１８１を構成する各機能はキューを有しており、自機能のキューにジョブが積まれると処理を開始して、処理が終了するとジョブを次の機能のキューに積む。
【００６８】
まず、ＤＢ１０１にジョブチケットが登録されると、入力処理機能１８１＿１のキューにジョブが積まれて、入力処理が開始される。
【００６９】
図８は、入力処理機能における処理を示すフローチャートである。
【００７０】
図示しない制御部から処理中止の指示が指定されないときには（図８のステップＳ１１：Ｎｏ）、入力処理機能１８１＿１は、まずジョブチケットに記述された入力フォルダパス名を取得する（図８のステップＳ１２）。
【００７１】
入力処理機能１８１＿１は、取得した入力フォルダパス名が示す入力用フォルダ１７１に原稿画像が入力されるのを監視する（図８のステップＳ１３）。
【００７２】
入力用フォルダ１７１に原稿画像が入力されると（図８のステップＳ１４：Ｙｅｓ）、入力処理機能１８１＿１は、入力用フォルダ１７１から原稿画像を取得する（図８のステップＳ１５）。
【００７３】
入力処理機能１８１＿１は取得した原稿画像を色変換処理機能１８１＿２に伝えるとともに、色変換処理機能１８１＿２のキューにジョブを積む（図８のステップＳ１６）。続いて、ステップＳ１１に戻り、入力処理機能１８１＿１は、キューに次のジョブが積まれるまで待機する。
【００７４】
図９は、色変換処理機能における処理を示すフローチャートである。
【００７５】
図示しない制御部から処理中止の指示が指定されないときには（図９のステップＳ２１：Ｎｏ）、キューにジョブが積まれると（図９のステップＳ２２：Ｙｅｓ）、色変換処理が開始される。
【００７６】
色変換処理機能１８１＿２は、まずジョブチケットに記述された、プロファイル名などといった色変換処理に関する条件を取得する（図９のステップＳ２３）。
【００７７】
続いて色変換処理機能１８１＿２は、入力処理機能１８１＿１から取得した原稿画像に、取得した条件に従ったＲＧＢ変換処理、ＣＭＹＫ変換処理、トーンカーブ処理、およびシャープネス処理などを施す（図９のステップＳ２５）。
【００７８】
ここで、色変換処理機能１８１＿２において一連の色変換処理が終了、あるいは色変換処理が失敗すると、画像処理部１８０のサムネイル画像生成部１８２は、色変換処理機能１８１＿２から色変換処理後の画像を取得し、その画像を所定サイズに縮小して所定の網がけ処理を施したサムネイル画像を生成する。色変換処理が失敗した場合には、生成したサムネイル画像に×印を付す。以下では、網がけ処理が施されたサムネイル画像を色変換＿サムネイル画像と称する。色変換処理機能１８１＿２は、生成した色変換＿サムネイル画像を保存部１７０のサムネイル用フォルダ１７２に格納し、さらに、色変換＿サムネイル画像のファイルパス名（アドレス）をＤＢ１０１に登録する。
【００７９】
また、色変換処理機能１８１＿２では、色変換処理を施した画像を出力処理機能１８１＿３に伝えるとともに出力処理機能１８１＿３のキューにジョブを積む（図９のステップＳ２５）。続いて、ステップＳ２１に戻り、色変換処理機能１８１＿２は、キューに次のジョブが積まれるまで待機する。
【００８０】
図１０は、出力処理機能における処理を示すフローチャートである。
【００８１】
図示しない制御部から処理中止の指示が指定されないときには（図１０のステップＳ３１：Ｎｏ）、キューにジョブが積まれると（図１０のステップＳ３２：Ｙｅｓ）、出力処理が開始される。
【００８２】
出力処理機能１８１＿３は、ジョブチケットに記述されたフォーマット変換のフォーマット形式や、出力フォルダパス名を取得する（図１０のステップＳ３３）。
【００８３】
続いて出力処理機能１８１＿３は、色変換処理機能１８１＿２から取得した画像に、フォーマット形式に従ったフォーマット変換処理を施す（図９のステップＳ３４）。
【００８４】
さらに、出力処理機能１８１＿３は、フォーマット変換後の画像を保存部１７０の出力用フォルダ１７３に出力するとともに（図１０のステップＳ３５）、その画像のファイルパス名（アドレス）をＤＢ１０１に登録する（図１０のステップＳ３６）。
【００８５】
ここで、出力処理機能１８１＿３においてファイルパス名（アドレス）がＤＢ１０１に登録される、あるいは、フォーマット変換処理が失敗すると、画像処理部１８０のサムネイル画像生成部１８２は、出力処理機能１８１＿３からフォーマット変換後の画像を取得し、その画像を縮小したサムネイル画像を生成する。フォーマット変換処理が失敗した場合には、生成したサムネイル画像に×印を付す。以下では、フォーマット変換後の画像が縮小されたサムネイル画像を出力＿サムネイル画像と称する。色変換処理機能１８１＿２は、生成した出力＿サムネイル画像を保存部１７０のサムネイル用フォルダ１７２に格納し、さらに、出力＿サムネイル画像のファイルパス名（アドレス）をＤＢ１０１に登録する。
【００８６】
出力処理機能１８１＿３は、ステップＳ３１に戻って、キューに次のジョブが積まれるまで待機する。
【００８７】
図４の画像処理部１８０において、上記で説明した一連の処理が、入力用フォルダ１７１に入力された複数の画像に対して行われる。これら一連の処理過程においてＤＢ１０１に登録された各種項目は、画像ごとにまとめられてデータ管理情報として管理される。
【００８８】
図１１は、データ管理情報を示す概念図である。
【００８９】
データ管理情報６００は、ジョブチケットに付されたジョブチケットＩＤ６１０と、ジョブＩＤ６２０と、原稿画像が格納された入力ファイルのパス名（アドレス）６３０と、色変換処理および出力処理を経て生成された出力画像が格納された出力ファイルのパス名（アドレス）６４０、色変換＿サムネイル画像および出力＿サムネイル画像それぞれが格納されたファイルのパス名（アドレス）５５０と、キューの状態を表わす処理状況６６０とで構成される。この処理状況６６０には、「色変換処理終了」あるいは「出力処理終了」の２つの処理状態のうちのいずれかが記述される。このデータ管理情報６００が、複数の画像それぞれに対応して生成されて、ＤＢ１０１に登録される。
【００９０】
ここで、どの原稿画像に対する画像処理が終了したのかなどというジョブの進行状況を確認したい場合には、オペレータは、クライアント装置２００のマウス等といった指示部を使って、サーバ装置１００にジョブの進行状況の問い合わせを行う。
【００９１】
クライアント装置２００からの問い合わせを取得すると、ＤＢ１０１は、クライアント装置２００のサムネイル画像取得部２５２に、図１１に示すデータ管理情報６００を提供する。
【００９２】
サムネイル画像取得部２５２は、データ管理情報６００のサムネイルパス名５５０が示す保存場所（サムネイル画像保存部１７２）に保存された、データ管理情報６００の処理状況５６０に合ったサムネイル画像を取得する。データ管理情報６００、および取得されたサムネイル画像は、サムネイル画像表示部２５３に送られる。
【００９３】
サムネイル画像表示部２５３は、サムネイル画像取得部２５２から取得したサムネイル画像を表示する。
【００９４】
図１２は、サムネイル画像が表示された表示画面を示す図である。
【００９５】
表示画面７００は、テキスト表示部７１０と、サムネイル表示部７２０とで構成されている。テキスト表示部７１０には、データ管理情報６００に基づいて、ジョブＩＤ、画像ファイル名、処理ステージ、ステータスなどが表示されている。しかし、この画像ファイル名だけを見ても、それがどの原稿画像なのかを確認することが困難である。
【００９６】
サムネイル表示部７２０には、サムネイル画像取得部２５２から取得したサムネイル画像７２２，７２３，７２５，７２６が表示されている。これらサムネイル画像は原稿画像と同じ絵柄を有するため、このサムネイル画像を見れば、そのサムネイル画像がどの原稿画像と対応しているのかを容易に認識することができる。
【００９７】
ここで、上段左側のサムネイル画像７２２は網がけ処理がなされた色処理＿サムネイル画像であるため、このサムネイル画像７２２に対応する原稿画像は色変換処理が完了した時点であることがわかる。上段右側のサムネイル画像７２３は色処理＿サムネイル画像であるが、×印が付されており、色変換処理が失敗したことがわかる。
【００９８】
また、下段の左側および中央のサムネイル画像７２４，７２５は網がけ処理がなされていない出力＿サムネイル画像であるため、これらサムネイル画像７２４，７２５に対応する原稿画像は出力処理まで完了したことがわかる。下段右側のサムネイル画像７２６は出力＿サムネイル画像であるが、×印が付されており、出力処理が失敗したことがわかる。
【００９９】
また、このサムネイル表示部７２０にサムネイル画像が表示されていない原稿画像は、色変換処理中であるということがわかる。
【０１００】
このように、原稿画像と同等な画像を表現した、画像処理における各処理過程に応じたサムネイル画像を表示することによって、原稿画像ごとの画像処理の進行状況を容易に確認することができる。
【０１０１】
ここで、上記では、色変換処理、および出力処理それぞれに応じたサムネイル画像を生成するサムネイル画像生成部の例について説明したが、本発明にいうサムネイル画像生成部は、例えば、色変換処理を経たときに１つだけサムネイル画像を生成するものであってもよく、色変換処理におけるＲＧＢ変換処理やＣＭＹＫ変換処理それぞれを経るごとに、それぞれの過程に応じたサムネイル画像を生成するものであってもよい。
【０１０２】
また、上記では、所定サイズのサムネイル画像を生成する例について説明したが、クライアント装置から所望のサムネイルのサイズを指定して、その指定されたサイズのサムネイル画像を生成するものであってもよい。
【０１０３】
また、上記では、色変換処理後の画像、および出力処理後の画像に基づいてサムネイル画像を生成する例について説明したが、本発明にいうサムネイル画像生成部は、原稿画像に基づいてサムネイル画像を生成するものであってもよい。
【０１０４】
また、上記では、サーバ装置からクライアント装置にサムネイル画像が保存されているアドレスを提供する例について説明したが、本発明にいうサムネイル画像提供部は、クライアント装置にサムネイル画像そのものを提供するものであってもよい。
【０１０５】
また、上記では、クライアント装置からジョブの進行状況の問い合わせを受けてから、サムネイル画像提供部からサムネイル画像を提供する例について説明したが、本発明にいうサムネイル画像提供部は、例えば、サムネイル画像が生成される毎に、リアルタイムにクライアント装置にサムネイル画像を提供するものであってもよい。
【図面の簡単な説明】
【０１０６】
【図１】本発明の一実施形態が適用された画像処理システムを示す図である。
【図２】図１に示すコンピュータのハードウェア構成図である。
【図３】サーバ用プログラムが記憶されたＣＤ−ＲＯＭ、およびクライアント用プログラムが記憶されたＣＤ−ＲＯＭを示す概念図である。
【図４】画像処理システムの機能ブロック図である。
【図５】ジョブチケット設定用画面の一例を示す図である。
【図６】オペレータによって編集されたジョブチケットの一例を示す概念図である
【図７】処理実行部の機能ブロック図である。
【図８】入力処理機能における処理を示すフローチャートである。
【図９】色変換処理機能における処理を示すフローチャートである
【図１０】出力処理機能における処理を示すフローチャートである。
【図１１】データ管理情報を示す概念図である。
【図１２】サムネイル画像が表示された表示画面を示す図である。
【符号の説明】
【０１０７】
１００    サーバ装置
１０１    ＤＢ
２００，２０１，２０２，２０３    クライアント装置
１１０    本体装置
１２０    画像表示装置
１２１    表示画面
１３０    キーボード
１４０    マウス１４０
１１１    ＦＤ装填口
１１２    ＣＤ−ＲＯＭ装填口
１１３    ＣＰＵ１１３
１１４    主メモリ
１１５    ハードディスク装置
１１６    ＦＤドライブ
３２０    ＣＤ−ＲＯＭ
１１７    ＣＤ−ＲＯＭドライブ
１１８    入力インタフェース
１１９    出力インタフェース
１５０    バス
１６０    画像取得部
１７０    保存部
１８０    画像処理部
１８１    処理実行部
１８２    サムネイル画像生成部
２５１    ジョブチケット作成・提供部
２５２    サムネイル画像取得部
２５３    サムネイル画像表示部
３３０    ＣＤ−ＲＯＭ
４１０    サーバ用プログラム
４１１    ジョブチケット取得部
４１２    画像取得部
４１３    サムネイル画像生成部
４１４    処理実行部
４１５    サムネイル画像提供部
４１６    サムネイル画像保存部
４２０    クライアント用プログラム
４２１    ジョブチケット作成・提供部
４２２    サムネイル画像取得部
４２３    サムネイル画像表示部
５１０    入力用画面入力用フォルダ
５４１    パスリスト
５１１    新規ボタン
５１２    編集ボタン
５１３    削除ボタン５１３
５２０    色変換用画面
５２２    ＲＧＢ選択部
５２３    ＣＭＹＫ選択部
５２４    シャープネス部
５２５    トーンカーブ部
５２１    実行指定部
５３０    出力用画面
５３１    フォーマット部
５３２    出力フォルダ指定部
【図１】
2005196532.tif 000003
【図２】
2005196532.tif 000004
【図３】
2005196532.tif 000005
【図４】
2005196532.tif 000006
【図５】
2005196532.tif 000007
【図６】
2005196532.tif 000008
【図７】
2005196532.tif 000009
【図８】
2005196532.tif 000010
【図９】
2005196532.tif 000011
【図１０】
2005196532.tif 000012
【図１１】
2005196532.tif 000013
【図１２】
2005196532.tif 000014